(57)【特許請求の範囲】
【請求項１】
パネル板の端縁部相互間を連結して多角形陳列棚の角部を形成する連結部材であって、
多角形角度に屈曲した角部の内側に前記パネル板の突合わせ部位を前記多角形角度に沿って密接するように形成し、該部位間に平坦面を備えた締着受部を形成した外側部材と、
該外側部材の前記締着受部に平行に形成された締付部とこの締付部の両側に前記パネル板の端縁部を挟圧する押え部を形成した左右に溝幅を設けてあるネジの挿入孔が形設されている内側部材と、
前記外側部材の締着受部に対し前記内側部材の締付部を圧接する方向にこれら
にねじ込まれ、前記パネル板の端縁部を前記突合せ状態にて締着させるネジとか
らなり、
前記パネル板の端縁部を前記外側部材の締着受部に装着し、該締着受部に前記
内側部材を当接して前記締付部で締め付けて多角形陳列棚を形成すること
を特徴とする組み立て式棚の連結部材。
【請求項２】
パネル板の端縁部相互間を連結して多角形陳列棚の側面中間部を形成する連結部材であって、
外側が平坦で内側に前記パネル板の突合わせ部位を密接するように形成し、該部位間に平坦面を備えた山型の締着受部を形成した外側部材と、
該外側部材の前記締着受部に平行に形成された締付部とこの締付部の両側に前記パネル板の端縁部を挟圧する押え部を形成した左右に溝幅を設けてあるネジの挿入孔が形設されている内側部材と、
前記外側部材の締着受部に対し前記内側部材の締付部を圧接する方向にこれらにねじ込まれ、前記パネル板の端縁部を前記突合せ状態にて締着させるネジとからなり、
前記パネル板の端縁部を前記外側部材の締着受部に装着し、該締着受部に前記内側部材を当接して前記締付部で締め付けて多角形陳列棚を形成することを特徴とする組み立て式棚の連結部材。
【請求項３】
パネル板の端縁部相互間を連結して多角形陳列棚の三方向部を形成する連結部材であって、
多角形の先端を切り欠いて前記パネル板の突合わせ部位を密接するように形成し、該部位間に平坦面を備えた締着受部を形成した芯部材と、
該芯部材の前記締着受部に平行に配置された締付部とこの締付部の両側に前記パネル板の端縁部を狭圧する押え部を形成した左右に溝幅を設けてあるネジの挿入孔が形設されている内側部材と、
前記芯部材の周面に隣り合うように配置された前記外側部材の押え部間に前記パネル板の端縁部を介在させた状態にて前記両部材を締着するネジとからなり、
前記締着受部に前記内側部材の締付部を当接して前記ネジで締め付けてなることを特徴とする組み立て式棚の連結部材。
【請求項４】
前記ネジは、前記外側部材或いは前記芯部材の締着受部のほぼ中央部に設けられたネジ穴に対しこのネジ穴と連通する前記内側部材或いは外側部材の挿通穴を通してねじ込まれることを特徴とする請求項１〜３のいずれか１記載の組み立て式棚の連結部材。
【請求項５】
前記パネル板が、プラスチック製、ガラス製、金属製で形成され、形状が方形状、楕円形或いはこれらの組み合わせであることを特徴とする請求項１〜４のいずれか１記載の組み立て式棚の連結部材。
【発明の詳細な説明】
【０００１】
【発明の属する技術分野】
本発明は、方形状板体の相互間を連結して組み立てる組み立て式棚の連結部材に関する。
【０００２】
【従来の技術】
従来から商品陳列用の飾り棚は、図８に示すように、複数枚の化粧板の端部を突合わせて連結部材でほぼ立方形又は直方形に連結して形成されている。組立式の商品陳列棚は、棚の大きさを用途に合わせて自由に調節できるため、各種部材の保管や輸送が便利である。この組立式の商品陳列棚は、透明或いは半透明板を用いて各種形状に形成されたものが、小物展示用のショウケースなどとして広く用いられている。
【０００３】
この従来の商品陳列棚の連結部材は、図９に示すように、方形状の化粧板２１を突合わせ、その端部相互間を各種の連結部材２２，２３，２４を組合わせて、立方形又は直方形の陳列棚を形成したものである。この各種の連結部材２２，２３，２４の挿入溝に各化粧板２１の縁部を装着して組立式棚を形成する。そしてこの棚に用いられる連結部材２２は、化粧板２１の縁部をそれぞれ挿入するための溝２２ａ，２２ａが設けられたコーナー部を形成するものである。また、連結部材２３は、化粧板２１の端部それぞれを挿入するための溝２３ａ，２３ａ，２３ａが設けられたＴ字部を形成するものである。さらに連結部材２４は、化粧板２１の端部それぞれを挿入するための溝２４ａ，２４ａ，２４ａ，２４ａが設けられた十字部を形成するものである。これらの連結部材２２，２３，２４を適宜組み合わせての小物展示用のショウケースを組み立てる。
【０００４】
前記溝２２ａ，２３ａ，２４ａには、化粧板２１の縁部が挿入されてこれらを連結すると同時に、板２１が溝２２ａ，２３ａ，２４ａから抜けないように、各連結部材２２、２３、２４に対をなして突出するように押圧凸条２２ｂ，２３ｂ，２４ｂが形設され、押圧凸条２２ｂ，２３ｂ，２４ｂの押圧作用で縦横方向に掛止される。
【０００５】
【発明が解決しようとする課題】
しかしながら、前記従来の組立式の商品陳列棚に用いられる連結部材２２，２３，２４を用いた組立式の商品陳列棚は、正方形或いは長方形の四角形状の陳列棚しか形成することができない。六角形或いは八角形の陳列棚を連続して形成することができない。
【０００６】
また、この連結部材２２，２３，２４を用いた組立式の商品陳列棚は、溝の幅以上の板厚のものが使用することが困難なことから、方形の棚板の厚みが常に一定のものしか使用できない。
【０００７】
また、上記連結部材２２，２３，２４は、化粧板２１の端部を前記のように挿入したとき、押圧凸条２２ｂ，２３ｂ，２４ｂの弾性圧でしか化粧板を締め付けていないために、棚全体がぐらつきやすく不安定である。そのために振動や衝撃に弱く、重量物の展示には向かないという問題があった。
【０００８】
本発明は、これらの問題を解決するためになされたものであり、四角形、六角形或いは八角形の陳列棚を化粧板又は硝子板等の端部を両面から締め付けて固定し、ぐらつきのない強固な棚を組み立てることができる組み立て式棚の連結部材を提供することを目的とする。
【０００９】
【課題を解決するための手段】
上記目的を達成するため、本発明の請求項１に係る組み立て式棚の連結部材は、  パネル板の端縁部相互間を連結して多角形陳列棚の側面中間部を形成する連結部材であって、外側が平坦で内側に前記パネル板の突合わせ部位を密接するように形成し、該部位間に平坦面を備えた山型の締着受部を形成した外側部材と、該外側部材の前記締着受部に平行に形成された締付部とこの締付部の両側に前記パネル板の端縁部を挟圧する押え部を形成した左右に溝幅を設けてあるネジの挿入孔が形設されている内側部材と、前記外側部材の締着受部に対し前記内側部材の締付部を圧接する方向にこれらにねじ込まれ、前記パネル板の端縁部を前記突合せ状態にて締着させるネジとからなり、前記パネル板の端縁部を前記外側部材の締着受部に装着し、該締着受部に前記内側部材を当接して前記締付部で締め付けて多角形陳列棚を形成することを特徴とする。
【００１０】
本発明の請求項２に係る組み立て式棚の連結部材は、パネル板の端縁部相互間を連結して多角形陳列棚の側面中間部を形成する連結部材であって、外側が平坦で内側に前記パネル板の突合わせ部位を密接するように形成し、該部位間に平坦面を備えた山型の締着受部を形成した外側部材と、該外側部材の前記締着受部に平行に形成された締付部とこの締付部の両側に前記パネル板の端縁部を挟圧する押え部を形成した左右に溝幅を設けてあるネジの挿入孔が形設されている内側部材と、前記外側部材の締着受部に対し前記内側部材の締付部を圧接する方向にこれらにねじ込まれ、前記パネル板の端縁部を前記突合せ状態にて締着させるネジとからなり、前記パネル板の端縁部を前記外側部材の締着受部に装着し、該締着受部に前記内側部材を当接して前記締付部で締め付けて多角形陳列棚を形成することを特徴とする。
【００１１】
本発明の請求項３に係る組み立て式棚の連結部材は、  パネル板の端縁部相互間を連結して多角形陳列棚の三方向部を形成する連結部材であって、多角形の先端を切り欠いて前記パネル板の突合わせ部位を密接するように形成し、該部位間に平坦面を備えた締着受部を形成した芯部材と、該芯部材の前記締着受部に平行に配置された締付部とこの締付部の両側に前記パネル板の端縁部を狭圧する押え部を形成した左右に溝幅を設けてあるネジの挿入孔が形設されている内側部材と、  前記芯部材の周面に隣り合うように配置された前記外側部材の押え部間に前記パネル板の端縁部を介在させた状態にて前記両部材を締着するネジとからなり、  前記締着受部に前記内側部材の締付部を当接して前記ネジで締め付けてなることを特徴とする。
【００１２】
本発明の請求項４に係る組み立て式棚の連結部材は、前記ネジが、前記外側部材或いは前記芯部材の締着受部の略中央部に設けられたネジ穴に対しこのネジ穴と連通する前記内側部材或いは外側部材の挿通穴を通してねじ込まれてなる。
本発明の請求項５に係る組み立て式棚の連結部材は、前記パネル板が、プラスチック製、ガラス製、金属製で形成され、形状が方形状、多角形状、円形又は楕円形或いはこれらの組み合わせである。
【００１３】
請求項１〜４の発明によれば、連結部材が棚を構成するパネル板の端縁部を表裏面から内外部材で挟持しつつ、締結部材で締め付ける構成に成っているので、パネル板の端縁部で固定され、ぐらつきのない強固な組み立て式棚を構成することが可能となる。
【００１４】
また、連結部材は各種角度を形成することにより、例えば四角形、六角形、八角形等あるいはその集合体からなる陳列棚を構成することが可能となる。
【００１５】
請求項４によれば、締着受部で、内側部材と外側部材の両部材間を締めつけるので、ぐらつきのない強固な組み立て式棚が可能となる。
【００１６】
請求項５によれば、パネル板として、プラスチック製、ガラス製、金属製で形成され、形状が方形状、多角形状、円形又は楕円形或いはこれらの組み合わせができるので、統一性、装飾性のある組み立て式棚を形成することができる。
【００１７】
【発明の実施の形態】
以下、本発明の実施の形態を図面に基づいて説明する。
【００１８】
図１から図７は本発明の実施の形態に係り、図１はパネル板を直角に連結する連結部材の例を示すもので、（ａ）は連結部材の断面説明図、（ｂ）は同連結部材の外側部材の外面図、（ｃ）は同連結部材の内側部材の正面図、図２は図１におけるパネル板の板厚を厚くした場合の断面説明図、図３はパネル板をＴ字形に連結する連結部材の例を示すもので、（ａ）は連結部材の断面説明図、（ｂ）は同外側部材の外面図、図４はパネル板を十字形に連結する連結部材の例を示すもので、（ａ）はその断面説明図、（ｂ）は同内側部材の外面図、図５はパネル板を十字形に連結する連結部材の他の例を示す断面説明図、図６はパネル板を直角より大きい角度に連結する連結部材の例を示すもので、（ａ）は断面説明図、（ｂ）は同外側部材の外面図、図７はパネル板を三角放射形に連結する連結部材の例を示すもので、（ａ）はその断面説明図、（ｂ）は同内側部材の外面図である。
【００１９】
本発明に係わる連結部材を使用する組み立て式棚は、複数枚の小型のパネル板１を組合せ、それぞれの連結部（突合わせ部）を各種の連結部材２、１２、２２、３２を使用して連結するものである。また、この組立式の陳列棚には種々な形のものがあり、パネル板１の組合せ角度その他の構成により各種の連結部材が必要になる。以下にその各種連結部材の構成について説明する。
【００２０】
本発明に係る請求項１に示す連結部材２は、パネル板１を直角（９０°）に連結する例を示すもので、図１（ａ），（ｂ），（ｃ）に示すように、外側部材３と、内側部材４と、締結部材６とで構成される。外側部材３は、例えば直角（９０°）に屈曲した形状をなし、両端部にパネル板１の端縁部１ａを突合わせる部位３ａを形成し、これらの部位間３ａ，３ａに平坦面の締着受部３ｂを形成したものである。また、内側部材４はこの外側部材３の前記締着受部３ｂに沿って平行に形成された平坦な締付部４ａと、この締付部４ａの両側に、この締付部４ａを挟んで相互に直角に延びる押圧面５ｂで前記パネル板を挟圧する押え部４ｂを形成したものである。さらに、締結部材６ではこの外側部材３と内側部材４とで、パネル板１の端縁部１ａを押圧面５ａ，５ｂ間に介在し、この内側部材４のほぼ中央部分からネジ７などの締付具を挿入して両部材３、４を締着する。
【００２１】
このように、連結部材２には、各内外側部材３，４の両側方でパネル板１の端縁部１ａを挟圧して締着する押圧面５ａ，５ｂが形成されているので、締着受部３ｂに締付部４ａを近づけるようにネジ７を締め付けると、パネル板１の端縁部１ａは押圧面５ａ，５ｂで強固に固定される。また、内外側部材３，４の角部は面取１０が施されている。
【００２２】
また、締結部材６は、図１（ａ）に示すように、ネジ７と、外側部材３の締着受部３ｂのほぼ中央に形設されている雌ネジ８と、この雌ネジ８に対向して連通する内側部材４に穿設された挿通穴９で構成される。挿通穴９は内側部材４の押え部４ｂのほぼ中央に穿設されている。パネル板１の端縁部１ａを押圧面５ａ，５ｂで両側から挟んだ状態で、ネジ７を挿通穴９を通して雌ネジ８にねじ込むと、内側部材４と外側部材３の間でパネル板１が保持される。なお、挿通穴９にネジ７の頭部を収納する溝部を連設しても良い。また、内側部材４の挿通穴９は、締め付け時の締着受部３ｂに対する締付部４ａのずれを微調整可能に左右に幅広にしてある。これによって、パネル板１の板厚が所定範囲内で異なるものを接続する時に対応可能となる。締着方法は、内外部材３，４の間にパネル板１の端縁部１ａを挟持し、ネジ７を挿通穴９に挿入して雌ネジ８に螺合して締め付ける。これにより、押圧面５ａ，５ｂで、パネル板１の端縁部１ａを強固に締着できる。
【００２３】
なお、図１（ａ）は上記直角方向にパネル板１を連結した態様を示すものであり、締結部材６で締め付けたときに外側部材３の締着受部３ｂと、内側部材４の締付部４ａとは締付部間に密着することが好ましい。しかしながら、図２に示すように、パネル板１の厚みＬがある場合には、締付部４ａと締着受部３ｂ間が密着しないで、隙間ｔが保たれてても良い。
【００２４】
次に、本発明に係る請求項２に示す連結部材１２は、パネル板１相互間をＴ字形に連結する場合の例で、図３に示すように、外側部材１３と、内側部材１４と、締結部材６で構成される。図３（ａ），（ｂ）に示すように、外側部材１３は、内側にパネル板１の端縁部１ａを突合わせる部位３ａ，３ａを形成し、この部位３ａ，３ａ間に平坦面を有する締着受部３ｂを形成したものである。また、内側部材１４は、この外側部材１３の前記締着受部３ｂに平行に形成された締付部４ａと、この締付部４ａの両側に前記パネル板１の端縁部１ａを一側から押圧する押え部４ｂを形成したものである。これらのうち一方の押え部４ｂは外側部材１３の押圧面５ａとの間にパネル板１の端縁部１ａを挟み、他方の押え部４ｂは互いに対向して、これらの間に別のパネル板１の端縁部１ａを挟むように機能する。
更に締付具であるネジ７は、締付部４ａの中央部に形成された挿通穴９を通して、外側部材１３の締着受け部３ｂの中央付近にねじ込まれて、この外側部材１３と内側部材１４とで３枚のパネル板１を挟圧保持するように機能する。
【００２５】
この実施例の連結部材１２では、組立棚の側面中間部を構成するもので、３枚のパネル板１は各端縁部１ａ，１ａ，１ａ相互間が連結されて、Ｔ字形をなす。なお、図１と同様に、外側部材１３と内側部材１４の各角部は面取１０が施されている。
【００２６】
さらに、本発明に係る請求項３に示す連結部材は、パネル板１を十字形をなす場合の連結部材２２を示すもので、内側部材としての芯部材２３と、外側部材２４と、締結部材６から構成される。図４（ａ），（ｂ）に示すように、芯部材２３は、内側にパネル板１の端縁部１ａを突合わせる部位３ａ，３ａ，３ａ，３ａを形成し、該部位間に平坦面を有する締着受部３ｂ，３ｂ，３ｂ，３ｂを形成した略四角形状のものである。外側部材２４は、内側部材２３の前記締着受部３ｂに平行に形成された締付部４ａ，４ａと、この締付部４ａ，４ａの両側に前記パネル板１の端縁部１ａを狭圧する押え部４ｂ，４ｂを形成したものである。また、締結部材６のネジ７は、芯部材２３の周囲で隣り合うように配置された外側部材２４の押え部４ｂ間にパネル板１の端縁部１ａを介在させた上で、両部材をそれぞれ締結する。
【００２７】
この実施例の連結部材２２は、組立棚の内部を構成するものである。このように直角の押圧面５ｂが形成された４個の外側部材２４の押圧面５ｂ相互が対向配置され、中央に隅部が面取された四角形の芯部材２３が配置されたものである。
そして外側部材２３にはネジ７の挿通穴９が設けられ、この挿通穴９に対向して四角形の内側部材２３には雌ネジ８が螺設されていている。パネル板１の端縁部１ａ相互間を十字形に挟持しつつ、ネジ７を挿通穴９を介して雌ネジ８にねじ込み、端縁部１ａ相互間を締め付けることにより、パネル板１を十字形に連結できる。なお、図１と同様に、内側部材１３の角部には面取１０が施されている。
【００２８】
図５は、パネル板１の板厚を厚くした場合の芯部材２３の他の実施例を示すものである。芯部材２３の角部で、パネル板１の端縁部１ａを線で受けるようにしたものである。この場合、図１の締着受部３ｂを形成しなくても、押圧面５ａに点線で示すようなネジ１５を螺着して、パネル板１と外側部材２４とで係止する。
また、押圧面５ａに点線で示すような突起１６ａを形成し、これに対応するパネル板１の端縁部１ａに受け溝１６ｂを形成して、これらを互いに嵌着させることもできる。このように構成することによって、押圧面５ａ，５ｂの締め付けが強いので外れたり、緩んだりすることがない。この実施例は、パネル板１の板厚がある場合に有効である。
【００２９】
次に、パネル板１相互間が多角形例えば、六角形或いは八角形をなす場合の連結部材２０の例を、図６（ａ），（ｂ）を参照して説明する。この実施態様は図１の連結部材の変形である。パネル板１相互間の角度が直角より大きくなる場合、例えば六角形の陳列棚を構成する場合の連結部材２０は、図６（ａ），（ｂ）に示すように、外側部材２５と、内側部材２７と、締結部材２６で構成される。外側部材２５は、略１２０°に屈曲した角部の内側にパネル板１の端縁部１ａを突合わせる部位３ａ，３ａを形成し、該部位間に平坦面を有する締着受部３ｂを形成したものである。また、内側部材２７は、この外側部材２５の前記締着受部３ｂに平行に形成された締付部４ａとこの締付部４ａの両側に前記パネル板１を係止する押え部４ｂを形成したものである。更に締結部材２６は、内側部材２７と、この内側部材２７と外側部材２５とをパネル板１の端端部１ａを押圧面５ａ，５ｂで締め付けて締着するネジ７などの締結具などから成る。
【００３０】
この実施例の連結部材２０は、押圧面５ａ，５ｂが、パネル板１相互間の角度に対応した角度に形成されており、各種形状の棚を構成する場合に板相互間が如何なる角度であってもその角度に対応した角度の押圧面５ａ、５ｂを形成することにより連結が可能である。そして、外側部材２３の中央部には雌ネジ８が螺設され、内側部材２４にネジ７の挿通穴９が設けられている。内外側部材２３、２４にてパネル板１の端縁部１ａを挟持しつつ、ネジ７を挿通穴９を介して雌ネジ８にねじ込むことにより、パネル板１の端縁部１ａ，１ａ同志を連結するものである。なお内外連結部材２３，２４の周縁には面取１０が施されている。
【００３１】
この実施例の連結部材２０は、図６に示すように、締め付けた時に内外側部材２５、２７相互間の締着受部３ｂと締付部４ａに隙間ｔが生じても、締結部材２６の締着力で緩んだり、外れたりすることはない。その他は図１と同様である。
【００３２】
次に、パネル板１を放射状に連結する場合の連結部材３２を図７を参照して説明する。連結部材３２は、図７（ａ），（ｂ）に示すように、芯部材１２と、図１に示す内側部材と同様の部材４と、締結部材３２で構成される。芯部材１２は、内側にパネル板１の端縁部１ａを３方向から突合わせる部位３ａ，３ａ，３ａを形成し、該部位間に平坦面を有する締着受部３ｂ，３ｂ，３ｂを形成した略３角形のものである。部材４は、芯部材１２の前記締着受部３ｂ，３ｂ，３ｂに平行に形成された締付部４ａ，４ａと、この締付部４ａ，４ａの両側に前記パネル板１の端縁部１ａを狭圧する押え部４ｂを形成したものである。更に連結部材３２は、芯部材１２と部材４とでパネル板１の端縁部１ａを押え部４ｂ、４ｂの押圧面５ａ，５ｂ間に挟んだ上で、ネジ７などの締結具などにより締結する。
【００３３】
このように押圧面５ｂが形成された３個の部材４が３方に配置され、この部材４にて囲まれた中央部に隅部が面取された略三角形の芯部材１２が配置されたものである。そして部材４にはネジ７の挿通穴９が設けられ、この挿通穴９に対向して三角形の芯部材３３には雌ネジ８が螺設されていて、パネル板１相互間を放射状に挟持しつつ雌ネジ穴８にネジ７をねじ込むことにより、パネル板１の端縁部１ａ相互間を放射状に連結することができる。なお部材４の角部には面取１０が施されている。
【００３４】
以上述べた各連結部材は、金属材又はプラスチック材などからなり、ほかにその他、組立棚を構成するための締め付け強度を有すれば如何なる材料であってもよい。
【００３５】
また、本実施の形態では内側部材４と、対向する各部材の相互間が各一のネジ７にて固定されているが、１箇所に限らず複数箇所を複数のネジ７で締め付けてもよい。
【００３６】
【発明の効果】
請求項１〜４の発明によれば、組立棚を構成するパネル板の端縁部を表裏面から内外側部材で挟持しつつ、締結部材で締め付ける構成に成っているので、パネル板の端縁部か強固に固定される。この結果、ぐらつきのない堅固な棚に組み立てることが可能となる。また、重量物を組立棚に飾ることが可能となる。
【００３７】
また、連結部材の押え面は各種角度に形成することにより、例えば四角形、六角形、八角形等の多角形からなる陳列棚を構成することが可能となる。
【図面の簡単な説明】
【図１】    （ａ）はパネル板を直角に連結する連結部材の断面説明図，（ｂ）は同連結部材の外側締め付け部材の背面図，（ｃ）は同連結部材の内側締め付け部材の背面図。
【図２】    図１におけるパネル板の板厚を厚くした場合の断面説明図。
【図３】    （ａ）はＴ字形連結部材の上面図，（ｂ）は外側締め付け部材の背面図。
【図４】    （ａ）は十字形連結部材の上面図，（ｂ）は内側締め付け部材の背面図。
【図５】    十字形連結部材の他の例を示す上面図。
【図６】    （ａ）は直角より大きい角度にて連結する連結部材の上面図，（ｂ）は同外側締め付け部材の背面図。
【図７】    （ａ）は放射形連結部材の上面図、（ｂ）は内側締め付け部材の背面図。
【図８】    従来の組立棚の斜視図。
【図９】    従来の組立棚の連結部材の斜視図。
【符号の説明】
１…パネル板、２，１０…連結部材、３，１３…外側部材、４，１４…内側部材、５…押圧面、６…面取、７…ネジ、８…雌ネジ穴、９…挿通穴、１１…山形押圧面。
【図１】
0003822538.tif 000002
【図２】
0003822538.tif 000003
【図３】
0003822538.tif 000004
【図４】
0003822538.tif 000005
【図５】
0003822538.tif 000006
【図６】
0003822538.tif 000007
【図７】
0003822538.tif 000008
【図８】
0003822538.tif 000009
【図９】
0003822538.tif 000010